(57)【要約】【課題】  留め針付き装身具の具備する留め針を内蔵する複数の係止球により挟持する留め針付き装身具用留め具につき、小型化を図ることができるとともに、使用者が簡便に留め針への着脱を行うことができ、かつ、故障も少ない留め針付き装身具用留め具を提供する。【解決手段】  装身具用留め具１は、一側ケース２１と他側ケース２２とからなるハウジング２と、ガイド３と、係止球保持部４１ａと支柱部４１ｂとから形成される一側部材４１と他側部材４２とからなる可動操作体４と、コイルスプリング５と、係止球６とから構成される。【選択図】      図１
2013094198.tif 000002
【特許請求の範囲】
【請求項１】
留め針付き装身具の具備する留め針を内蔵する複数の係止球により挟持する留め針付き装身具用留め具であって、ハウジングと、ガイドと、可動操作体と、コイルスプリングと、係止球とから構成され、ハウジングは、一側ケースと他側ケースとを合体させて形成されており、一側ケースは、有蓋筒状の部材であり、上面には留め針挿入口が穿設されているとともに、その開放された下面の周縁部にはガイドに設けられた鍔部と他側ケースに設けられた鍔部とを収容するための鍔部収容部が設けられており、他側ケースは、有底筒状の部材であり、その上部の開放周縁部は外方向に屈曲して鍔部が形成されているとともに、その底部には可動操作体嵌入口が穿設されており、ガイドは、上下端の開放された小径部と大径部とを有する載頭円錐形状の部材であり、該載頭円錐形状内周面はガイドの中心軸に対して２１度から３０度の範囲内にある同一のテーパー角度を有しており、大径部の端部は外方向に屈曲して鍔部が形成されており、可動操作体は、一側部材と他側部材とを組み合わせて形成されており、一側部材は、係止球保持部と支柱部とから形成されているとともに、係止球保持部と支柱部との間に段部が設けられており、一側部材の内部を留め針導入路が貫通しており、係止球保持部は、載頭円錐形状の部材であり、その上面には留め針挿入口が穿設されているとともに、その側面には相互に対向する位置関係の下で環状に配置されているとともに留め針導入路側には突出部の設けられた係止球収容孔が穿設されており、その外周面は該係止球保持部の中心軸に対して２１度から３０度の範囲内にある同一のテーパー角度を有しておりガイドの内周面に当接する形状となっており、支柱部は、留め針を貫通させることができる程度の大きさを有する筒状の部材であり、その長さは他側部材の支柱部の長さと同一ないし短いものとし、他側部材は、一側部材の支柱部を収容することができる程度の大きさを有する筒状の支柱部と、外側に鍔状に拡がった抓み片部とを有しており、コイルスプリングは、ハウジング内に収容されるとともに、一側部材の支柱部の外周面に巻き回されており、係止球保持部の段部に当接して可動操作体を留め針挿入口方向に付勢しており、係止球は、係止球収容孔内にそれぞれ一個ずつ収容されていることを特徴とする留め針付き装身具用留め具。
【請求項２】
請求項１に記載した留め針付き装身具用留め具であって、前記ガイドの内周面に凹凸を設けることを特徴とする留め針付き装身具用留め具。
【請求項３】
請求項１又は２に記載した留め針付き装身具用留め具であって、前記係止球保持部に鍔部を設けることを特徴とする留め針付き装身具用留め具。
【請求項４】
請求項１又は２に記載した留め針付き装身具用留め具であって、前記係止球保持部の段部と前記コイルスプリングの上部との間に座金を挿入することを特徴とする留め針付き装身具用留め具。
【請求項５】
請求項１から４までの何れかに記載した留め針付き装身具用留め具であって、前記鍔部収容部に滑り止め用の切欠きを設け、及び／又は前記抓み片部に滑り止め用の溝を設けることを特徴とする留め針付き装身具用留め具。
【発明の詳細な説明】
【技術分野】
【０００１】
本発明は、ピアス等の留め針付き装身具の留め具に関し、該装身具を着脱自在に着用者の身体又は衣服等に止着することのできる留め針付き装身具用留め具に関するものである。
【背景技術】
【０００２】
従来、留め針付き装身具用留め具としては、様々な構造を有する物が提案されているところであるが、留め針付き装身具の留め針を内蔵する複数の係止球により挟持することによって該装身具を着脱自在に着用者の身体又は衣服等に止着することのできる留め針付き装身具用留め具が提案されているところである（例えば、特許文献１，２，及び３参照。）。
【先行技術文献】
【特許文献】
【０００３】
【特許文献１】特許第４５６０５８８号公報
【特許文献２】特許第４１６７７０３号公報
【特許文献３】特許第４００９５９６号公報
【発明の概要】
【発明が解決しようとする課題】
【０００４】
ところで、上記のような留め針付き装身具用留め具にあっては、まず、着用者が留め針付き装身具を着用した際の美観を損なわないように、可能な限り小型のものにすることが望ましい。とりわけ、該装身具の留め針を該留め具に止着した際には、図３から５に図示するように、該留め針を挿通する可動操作体がハウジングから突き出す格好になるため、該留め具にあっては縦方向の長さを短くするとともに、ハウジングから突き出す可動操作体の長さを短くすることが該装身具を着用した際の美観を損なわないという観点からは好適である。そこで、本発明が解決しようとする第一の課題は、留め針付き装身具の留め針を内蔵する複数の係止球により挟持する留め針付き装身具用留め具につき、縦方向の長さを短くして小型化するとともに、該装身具の留め針を該留め具に止着した際にハウジングから突き出す可動操作体の長さを短くすることにより、着用者が留め針付き装身具を着用した際の美観を損なわない留め針付き装身具用留め具を提供することにある。
【０００５】
また、上記の従来技術に係る留め針付き装身具用留め具にあっては、係止球を押圧するガイド部材がハウジングを構成する他側ケースの上部に置かれているだけだったため、とりわけ着用者が該装身具の着脱を行う際にハウジング内において所定の位置から外れて故障することがあった。そこで、本発明が解決しようとする第二の課題は、留め針付き装身具の留め針を内蔵する複数の係止球により挟持する留め針付き装身具用留め具につき、ガイド部材がハウジング内において所定の位置から外れて故障しないようにした留め針付き装身具用留め具を提供することにある。
【０００６】
更に、上記の従来技術に係る留め針付き装身具用留め具にあっては、戴頭円錐形状のガイド部材の外周面とハウジングの内周面とが密接する構造であり、ハウジングもまた略戴頭円錐形状であったため、ハウジングの頂部に穿設される留め針挿入口の面積がいきおい狭いものとならざるを得なかった。そうすると、例えば、ピアスを着用者の耳朶に止着する際のように、着用者が手探りで該装身具を該留め具に止着する際には、着用者が該留め針挿入口を探索し難いという問題があった。そこで、本発明が解決しようとする第三の課題は、留め針付き装身具の留め針を内蔵する複数の係止球により挟持する留め針付き装身具用留め具につき、ハウジングの頂部に穿設する留め針挿入口の面積を広く設けることができる留め針付き装身具用留め具を提供することにある。
【０００７】
そして、上記の従来技術に係る留め針付き装身具用留め具にあっては、ガイドの内周面を接触させることにより係止球を押圧しているところ、とりわけガイドの中心軸に対するガイドの内周面のテーパー角度が大きくなると、係止球に対する押圧力が微弱となり、係止球が留め針を挟持することができなくなってしまうことがあった。そこで、本発明が解決しようとする第四の課題は、留め針付き装身具の留め針を内蔵する複数の係止球により挟持する留め針付き装身具用留め具につき、ガイドがより強固に係止球を押圧することができるようにして、係止球が留め針をより強固に挟持することができるようにした留め針付き装身具用留め具を提供することにある。
【０００８】
加えて、上記の従来技術に係る留め針付き装身具用留め具にあっては、ハウジング内に収納されており、かつ、可動操作体に巻き回されたコイルスプリングが係止球保持部の下面に当接して可動操作体を留め針挿入口方向に付勢しているところ、コイルスプリングがその付勢力により該係止球保持部を乗り越えて外れてしまうことがあり、特に係止球保持部を小型化しようとした際には顕著な問題となった。そこで、本発明が解決しようとする第五の課題は、留め針付き装身具の具備する留め針を内蔵する複数の係止球により挟持する留め針付き装身具用留め具につき、特に係止球保持部を小型化してもコイルスプリングが該係止球保持部を乗り越えて外れることがないようにした留め針付き装身具用留め具を提供することにある。
【０００９】
最後に、上記の従来技術に係る留め針付き装身具用留め具にあっては、着用者が手で摘み難いため、該装身具に対する該留め具の着脱が行い難いという問題があり、特に該留め具の小型化を図る際には顕著な問題となった。そこで、本発明が解決しようとする第六の課題は、留め針付き装身具の留め針を内蔵する複数の係止球により保持する留め針付き装身具用留め具につき、着用者が留め針への該留め具の着脱を簡便に行うことができるようにした留め針付き装身具用留め具を提供することにある。
【課題を解決するための手段】
【００１０】
本発明は、上記の各課題を解決するために提案されたものであり、以下の構成を有するものである。以下では、本発明の構成を理解するのを補助するため、本願に添付した図面に表示した番号及び符号を併せて記載する。
【００１１】
本発明の第一から第三の課題を解決するため、請求項１に記載した留め針付き装身具用留め具１は、ハウジング２と、ガイド３と、可動操作体４と、コイルスプリング５と、係止球６とから構成されている。まず、ハウジング２は、一側ケース２１と他側ケース２２とを合体させて形成されている。一側ケース２１は、有蓋筒状の部材であり、上面には留め針挿入口２１ａが穿設されているとともに、その開放された下面の周縁部にはガイド３に設けられた鍔部３ｃと他側ケース２２に設けられた鍔部２２ａとを収容するための鍔部収容部２１ｂが設けられている。他側ケース２２は、有底筒状の部材であり、その上部の開放周縁部は外方向に屈曲して鍔部２２ａが形成されているとともに、その底部には可動操作体嵌入口２２ｂが設けられている。次に、ガイド３は、上下端の開放された小径部３ａと大径部３ｂとを有する載頭円錐形状の部材であり、該載頭円錐形状内周面はガイド３の中心軸に対して２１度から３０度の範囲内にある同一のテーパー角度を有しており、大径部３ｂの端部は外方向に屈曲して鍔部３ｃが形成されている。そして、可動操作体４は、一側部材４１と他側部材４２とを組み合わせて形成される。一側部材４１は、係止球保持部４１ａと支柱部４１ｂとから形成されているとともに、係止球保持部４１ａと支柱部４１ｂとの間に段部４１ｄが設けられており、一側部材の内部を留め針導入路４１ｃが貫通している。係止球保持部４１ａは、載頭円錐形状の部材であり、その上面には留め針挿入口４１ａ１が穿設されているとともに、その側面には相互に対向する位置関係の下で環状に配置されているとともに留め針導入路側には突出部４１ａ３の設けられた係止球収容孔４１ａ２が穿設されており、その外周面は該係止球保持部の中心軸に対して２１度から３０度の範囲内にある同一のテーパー角度を有しておりガイド３の内周面に当接する形状となっている。支柱部４１ｂは、留め針Ｐを貫通させることができる程度の大きさを有する筒状の部材であり、その長さは他側部材４２の支柱部４２ａの長さと同一ないし短いものとする。他側部材４２は、一側部材４１の支柱部４１ｂを収容することができる程度の大きさを有する筒状の支柱部４２ａと、外側に鍔状に拡がった抓み片部４２ｂとを有する。コイルスプリング５は、ハウジング２内に収容されるとともに、支柱部４２ａの外周面に巻き回されており、段部４１ｄに当接して可動操作体４を留め針挿入口２１ａ方向に付勢している。係止球６は、係止球収容孔４１ａ２内にそれぞれ一個ずつ収容されている。
【００１２】
本発明の第四の課題を解決するため、請求項２に記載した留め針付き装身具用留め具は、請求項１に記載した留め針付き装身具用留め具１であって、ガイド３の内周面に凹凸を設けることを特徴とする留め針付き装身具用留め具である。
【００１３】
本発明の第五の課題を解決するため、請求項３に記載した留め針付き装身具用留め具は、請求項１又は２に記載した留め針付き装身具用留め具であって、前記係止球保持部４１ａに鍔部４１ａ４を設けることを特徴とする留め針付き装身具用留め具である。
【００１４】
本発明の第五の課題を解決するため、請求項４に記載した留め針付き装身具用留め具は、請求項１又は２に記載した留め針付き装身具用留め具であって、段部４１ｄとコイルスプリング５の上部との間に座金７を挿入することを特徴とする留め針付き装身具用留め具である。
【００１５】
本発明の第六の課題を解決するため、請求項５に記載した留め針付き装身具用留め具は、請求項１から４までの何れかに記載した留め針付き装身具用留め具であって、鍔部収容部２１ｂに滑り止め用の切欠き２１ｃを設けること、及び／又は抓み片部４２ｂに滑り止め用の溝４２ｃを設けることを特徴とする留め針付き装身具用留め具である。
【発明の効果】
【００１６】
請求項１に記載した本発明に係る留め針付き装身具用留め具は、上記の通りの構成であるから、以下のような効果を奏することができる。即ち、請求項１に記載した本発明に係る装身具用留め具にあっては、前記ガイドの載頭円錐形状内周面は該ガイドの中心軸に対して２１度から３０度の範囲内にある同一のテーパー角度を有しており、かつ、前記係止球保持部の外周面は該係止球保持部の中心軸に対して２１度から３０度の範囲内にある同一のテーパー角度を有しており、該ガイドの内周面に当接する形状となっているところ、上記の従来技術に係る留め針付き装身具用留め具に比較して、本発明に係る留め針付き装身具用留め具の縦方向の長さを短くすることができるとともに、該留め針を挿通した際には可動操作体の僅かな押し込みによって係止球が該留め針を挟持することができることからハウジングから突き出す可動操作体の長さを短くすることができる。従って、請求項１に記載した本発明に係る装身具用留め具は、留め針付き装身具の留め針を内蔵する複数の係止球により挟持する留め針付き装身具用留め具につき、縦方向の長さを短くして小型化するとともに、該装身具の留め針を該留め具に止着した際にハウジングから突き出す可動操作体の長さを短くすることにより、着用者が留め針付き装身具を着用した際の美観を損なわない留め針付き装身具用留め具を提供するという本発明が解決しようとする第一の課題を解決することができるのである。
【００１７】
また、請求項１に記載した本発明に係る装身具用留め具は、ガイドの大径部の端部が外方向に屈曲して鍔部が形成されているところ、ハウジングの他側ケースと併せてハウジングの一側ケースの周縁部に設けられた鍔部収容部内に収容されることにより、ガイドとハウジングとを結合させることができる。従って、請求項１に記載した本発明に係る装身具用留め具は、留め針付き装身具の留め針を内蔵する複数の係止球により挟持する留め針付き装身具用留め具につき、ガイド部材がハウジング内において所定の位置から外れて故障しないようにした留め針付き装身具用留め具を提供するという本発明が解決しようとする第二の課題を解決することができるのである。
【００１８】
また、請求項１に記載した本発明に係る装身具用留め具にあっては、一側ケースの形状が有蓋筒状に形成されているのに対して、ガイドは上下端の開放された載頭円錐形状の部材であることから、ガイドの外周面と一側ケースの内周面との間に間隔が設けられているため、一側ケースに穿設する留め針挿入口の面積を広くとることができる。従って、請求項１に記載した本発明に係る装身具用留め具は、留め針付き装身具の留め針を内蔵する複数の係止球により挟持する留め針付き装身具用留め具につき、ハウジングの頂部に穿設する留め針挿入口の面積を広く設けることができる留め針付き装身具用留め具を提供するという本発明が解決しようとする第三の課題を解決することができるのである。
【００１９】
請求項２に記載した本発明に係る留め針付き装身具用留め具は、上記の通りの構成であるから、以下のような効果を奏することができる。即ち、請求項２に記載した本発明に係る装身具用留め具は、前記ガイドの内周面に凹凸を設けるものであるから、該ガイドの有する係止球に対する押圧力を増大させることができる。従って、請求項２に記載した本発明に係る装身具用留め具は、留め針付き装身具の留め針を内蔵する複数の係止球により挟持する留め針付き装身具用留め具につき、ガイド部材がより強固に係止球を押圧することができるようにして、係止球が留め針をより強固に挟持することができるようにした留め針付き装身具用留め具を提供するという本発明が解決しようとする第四の課題を解決することができるのである。
【００２０】
請求項３又は４に記載した本発明に係る留め針付き装身具用留め具は、上記の通りの構成であるから、以下のような効果を奏することができる。即ち、請求項３に記載した本発明に係る装身具用留め具は、前記係止球保持部に鍔部を設けるものであり、また、請求項４に記載した留め針付き装身具用留め具は、前記係止球保持部の段部とコイルスプリングの上部との間に座金を挿入するものであるところ、コイルスプリングが係止球保持部を乗り越えて外れてしまうことを防止することができる。従って、請求項３又は４に記載した本発明に係る装身具用留め具は、留め針付き装身具の具備する留め針を内蔵する複数の係止球により挟持する留め針付き装身具用留め具につき、特に係止球保持部を小型化してもコイルスプリングが該係止球保持部を乗り越えて外れないようにした留め針付き装身具用留め具を提供するという本発明が解決しようとする第五の課題を解決することができるのである。
【００２１】
請求項５に記載した本発明に係る留め針付き装身具用留め具は、上記の通りの構成であるから、以下のような効果を奏することができる。即ち、請求項５に記載した本発明に係る装身具用留め具は、前記鍔部収容部に切欠きを設け、及び／又は前記抓み片部に溝を設けるものであるところ、着用者が指で抓んだ際に滑ってしまうことを防止することができる。従って、請求項５に記載した本発明に係る装身具用留め具は、留め針付き装身具の留め針を内蔵する複数の係止球により保持する留め針付き装身具用留め具につき、着用者が留め針への該留め具の着脱を簡便に行うことができるようにした留め針付き装身具用留め具を提供するという本発明が解決しようとする第六の課題を解決することができるのである。
【図面の簡単な説明】
【００２２】
【図１】本発明の一実施形態に係る留め針付き装身具用留め具の分解構造斜視図である。
【図２】本発明の他の実施形態に係る留め針付き装身具用留め具の分解構造斜視図である。
【図３】本発明の一実施形態に係る留め針付き装身具用留め具に留め針を挿入する際の作用説明図である。
【図４】本発明の一実施形態に係る留め針付き装身具用留め具に留め針を挿入した際の作用説明図である。
【図５】本発明の一実施形態に係る留め針付き装身具用留め具を留め針から取り外す際の作用説明図である。
【発明を実施するための形態】
【００２３】
まず、本発明の一実施形態に係る留め針付き装身具用留め具の構造及びその使用態様について添付図面に基づいて説明する。
【００２４】
本発明に係る留め針付き装身具用留め具１は、図１から５までに図示するように、ハウジング２と、ガイド３と、可動操作体４と、コイルスプリング５と、係止球６と、座金７とから構成されている。
【００２５】
ハウジング２は、図１から５までに図示するように、一側ケース２１と他側ケース２２とを合体させて形成されている。
【００２６】
一側ケース２１は、図１から５までに図示するように、有蓋筒状の部材であり、上面に留め針Ｐを挿入するための留め針挿入口２１ａが穿設されているとともに、その開放された下面の周縁部にはガイド３に設けられた鍔部３ａと他側ケース２２に設けられた鍔部２２ａとを収容するための鍔部収容部２１ｂが設けられている。尚、留め針挿入口２１ａの周囲は、留め針挿入口２１ａに向かって傾斜が付けられており、すり鉢状に形成されている。一側ケース２１の形状が有蓋筒状に形成されているのに対して、ガイド３は上下端の開放された載頭円錐形状の部材であることから、ガイド３の外周面と一側ケース２１の内周面との間に間隔が設けられていることから、一側ケース２１に穿設する留め針挿入口２１ａの面積を広くとることができるため、着用者が手探りで留め針付き装身具を留め針付き装身具用留め具１に止着する際には、着用者が留め針挿入口２１ａを探索し易くなり、好適である。一側ケース２１の形状は、その小型化を図ることを目的とする場合には、図１に図示するように、有蓋円筒形状のものとするのが好適であり、また、着用者が留め針付き装身具に対する留め針付き装身具用留め具１の着脱を行う際の滑りを防止することを目的とする場合には、図２に図示するように、有蓋六角筒形状その他の有蓋多角筒形状のものとするのが好適である。尚、図２に図示するように、鍔部収容部２１ｂに切欠き２１ｃを設けることにより、着用者が留め針付き装身具を留め針付き装身具用留め具１から取り外す際に鍔部収容部２１ｂを抓んだ際の滑りを防止することができて、更に好適である。
【００２７】
次に、他側ケース２２は、有底筒状の部材であり、図１から５までに図示するように、有底円筒形状のものとすることができるが、また、一側ケース２１の形状と同様に、有底六角筒形状その他の有蓋多角筒形状のものとすることもできる。他側ケース２２の上部の開放周縁部は外方向に屈曲して鍔部２２ａが形成されているとともに、その底部には可動操作体４を嵌入させる可動操作体嵌入口２２ｂが設けられている。
【００２８】
ガイド３は、図１から５までに図示するように、上下端の開放された小径部３ａと大径部３ｂとを有する載頭円錐形状の部材であり、該載頭円錐形状内周面は該ガイドの中心軸に対して２１度から３０度の範囲内にある同一のテーパー角度を有しており、大径部３ｂの端部は外方向に屈曲して鍔部３ｃが形成されている。鍔部２２ａと併せて鍔部３ｃを鍔部収容部２１ｂに収容することにより、ガイド３をハウジング２に結合させることができる。従って、ガイド３の部材の厚みは、他側ケース２２の部材の厚みと同一ないし薄いものとするのが、好適である。また、図２に図示するように、ガイド３の内周面を階段状に形成することあるいは梨地状に凹凸を形成することにより、ガイド３の係止球６に対する押圧力を高めることができ、更に好適である。
【００２９】
可動操作体４は、図１から５までに図示するように、一側部材４１と他側部材４２とを組み合わせて形成される。
【００３０】
一側部材４１は、図１から５までに図示するように、係止球保持部４１ａと支柱部４１ｂとから形成されているとともに、係止球保持部４１ａと支柱部４１ｂとの間に段部４１ｄが設けられており、一側部材４１の内部を留め針導入路４１ｃが貫通している。係止球保持部４１ａは、載頭円錐形状の部材であり、その上面には留め針挿入口４１ａ１が穿設されているとともに、その側面には係止球６を保持するための係止球収容孔４１ａ２が穿設されており、その外周面は係止球保持部４１ａの中心軸に対して２１度から３０度の範囲内にある同一のテーパー角度を有しており、ガイド３の内周面に当接する形状となっている。ガイド３の載頭円錐形状内周面はガイド３の中心軸に対して２１度から３０度の範囲内にある同一のテーパー角度を有しており、かつ、係止球保持部４１ａの外周面は係止球保持部４１ａの中心軸に対して２１度から３０度の範囲内にある同一のテーパー角度を有しており、ガイド３の内周面に当接する形状となっているところ、上記の従来技術に係る留め針付き装身具用留め具に比較して、本発明に係る留め針付き装身具用留め具１の縦方向の長さを短くすることができるとともに、留め針Ｐを挿通した際には可動操作体４の僅かな押し込みによって係止球６が留め針Ｐを挟持することができることからハウジング２から突き出す可動操作体４の長さを短くすることができ、好適である。尚、留め針挿入口４１ａ１の周囲は、留め針挿入口４１ａ１に向かって傾斜が付けられており、すり鉢状に形成されている。係止球収容孔４１ａ２は、相互に対向する位置関係の下で環状に３箇所配置されており、留め針導入路４１ｃ側には係止球６が留め針導入路４１ｃへと滑落することを防止するための突出部４１ａ３が設けられている。支柱部４１ｂは、留め針Ｐを貫通させることができる程度の大きさを有する筒状の部材であり、その長さは他側部材４２の支柱部４２ａの長さと同一ないし短い部材である。
【００３１】
他側部材４２は、図１から５までに図示するように、支柱部４１ｂを収容することができる程度の大きさを有する筒状の支柱部４２ａと、着用者が着脱の際に抓む外側に鍔状に拡がった抓み片部４２ｂとを有する。尚、図２に図示するように、抓み片部４２ｂに縦方向に複数本の溝４２ｃを設けることにより、着用者が留め針付き装身具を留め針付き装身具用留め具１から取り外す際に抓み片部４２ｂを抓んだ際の滑りを防止することができ、好適である。
【００３２】
コイルスプリング５は、図１から５までに図示するように、ハウジング２内に収容されているとともに、支柱部４２ａの外周面に巻き回されている。コイルスプリング５は、図１ではその上部が段部４１ｄに当接しており、図２ではその上部が座金６を介して当接しているのに対して、その下部が他側部材２２の底面に当接しているところ、可動操作体４を留め針挿入口２１ａの方向に押圧付勢している。尚、図１に図示するように、係止球保持部４１ａの下部に鍔部４１ａ３を設けることにより、コイルスプリング５が段部４１ｄを乗り越えて外れることを防止することができる。
【００３３】
係止球６は、図３から５までに図示するように、それぞれの係止球収容孔４１ａ２内に一個ずつ収容されている。
【００３４】
座金７は、図２に図示するように、段部４１ｄとコイルスプリング５の上部との間に挟み込まれており、コイルスプリング５が段部４１ｄを乗り越えて外れることを防止することができる。とりわけ係止球保持部４１ａの下部に鍔部４１ａ３を設けない場合に、有効である。
【００３５】
本発明に係る留め針付き装身具用留め具１をピアス用キャッチとして構成する場合には、ガイド３の載頭円錐形状内周面を該ガイドの中心軸に対して２５度の同一のテーパー角度を有するものとし、かつ、係止球保持部４１ａの載頭円錐形状の外周面を係止球保持部４１ａの中心軸に対して２５度の同一のテーパー角度を有するものとし、また、コイルスプリング５としては、線径０．２５の鋼線製コイルばねを用いると、特に可動操作体４の僅かな押し込みによって係止球６が留め針Ｐを挟持することができ、好適である。
【００３６】
次に、本発明の一実施形態に係る留め針付き装身具用留め具の使用態様について添付図面に基づいて説明する。
【００３７】
留め針付き装身具を留め針付き装身具用留め具１に止着する際には、図３に図示するように、まず、該留め針付き装身具の留め針Ｐを留め針挿入口２１ａから留め針付き装身具用留め具１内へと挿入する。そうすると、留め針Ｐが３個の係止球６の対面する中心位置に送り込まれることにより、３個の係止球６は係止球保持具４１ａの外方向に押し出されるようにして移動するともに、可動操作体４がコイルスプリング５の有する留め針挿入口２１ａ方向への付勢力に対抗しながら、可動操作体嵌入口２２ｂ方向へと押し下げられる。
【００３８】
更に、図４に図示するように、留め針Ｐが留め針付き装身具用留め具１内の所定の位置まで挿入されて、その押し込み力が解除されることにより、コイルスプリング５の有する付勢力により、留め針挿入口２１ａ方向へと押し上げられる。そうすると、３個の係止球６の一側球面がガイド３の内側面に当接して、係止球６が留め針導入路４１ｃ方向へと押し出されることにより、３個の係止球６の他側球面が留め針Ｐを圧接挟持することとなり、留め針付き装身具を留め針付き装身具用留め具１に止着することができるのである。
【００３９】
また、図５に図示するように、留め針付き装身具を留め針付き装身具用留め具１から取り外す際には、まず、抓み片部４２ｂを指先で摘んでコイルスプリング５の有する留め針挿入口２１ａ方向への付勢力に対抗して、可動操作体嵌入口２２ｂを通して可動操作体４をハウジング２内から外へと引き出す。そうすると、係止球保持部４１ａはガイド３の内周面と接触していたその外周面が引き離されることにより、その動きが制限されていた係止球６も係止球保持具４１ａの外方向に動くことができるようになり、係止球６の留め針Ｐに対する挟持状態が解除されるため、留め針Ｐを装身具用留め具１から容易に引き抜くことができるのである。
【符号の説明】
【００４０】
１  留め針付き装身具用留め具
２  ハウジング
２１  一側ケース
２１ａ  留め針挿入口
２１ｂ  鍔部収容部
２１ｃ  切欠き
２２  他側ケース
２２ａ  鍔部
２２ｂ  可動操作体嵌入口
３  ガイド
３ａ  小径部
３ｂ  大径部
３ｃ  鍔部
４  可動操作体
４１  一側部材
４１ａ  係止球保持部
４１ａ１  留め針挿入口
４１ａ２  係止球収容孔
４１ａ３  突出部
４１ａ４  鍔部
４１ｂ  支柱部
４１ｃ  留め針導入路
４１ｄ  段部
４２  他側部材
４２ａ  支柱部
４２ｂ  抓み片部
４２ｃ  溝
５  コイルスプリング
６  係止球
７  座金
Ｐ  留め針
【図１】
2013094198.tif 000003
【図２】
2013094198.tif 000004
【図３】
2013094198.tif 000005
【図４】
2013094198.tif 000006
【図５】
2013094198.tif 000007
【手続補正書】
【提出日】平成24年4月2日(2012.4.2)
【手続補正１】
【補正対象書類名】特許請求の範囲
【補正対象項目名】請求項１
【補正方法】変更
【補正の内容】
【請求項１】
留め針付き装身具の具備する留め針を内蔵する複数の係止球により挟持する留め針付き装身具用留め具であって、ハウジングと、ガイドと、可動操作体と、コイルスプリングと、係止球とから構成され、ハウジングは、一側ケースと他側ケースとを合体させて形成されており、一側ケースは、有蓋筒状の部材であり、上面には留め針挿入口が穿設されているとともに、その開放された下面の周縁部にはガイドに設けられた鍔部と他側ケースに設けられた鍔部とを収容するための鍔部収容部が設けられており、他側ケースは、有底筒状の部材であり、その上部の開放周縁部は外方向に屈曲して鍔部が形成されているとともに、その底部には可動操作体嵌入口が穿設されており、ガイドは、上下端の開放された小径部と大径部とを有する載頭円錐形状の部材であり、該載頭円錐形状内周面はガイドの中心軸に対して２１度から３０度の範囲内にある同一のテーパー角度を有しており、大径部の端部は外方向に屈曲して鍔部が形成されており、可動操作体は、一側部材と他側部材とを組み合わせて形成されており、一側部材は、係止球保持部と支柱部とから形成されているとともに、係止球保持部と支柱部との間に段部が設けられており、一側部材の内部を留め針導入路が貫通しており、係止球保持部は、載頭円錐形状の部材であり、その上面には留め針挿入口が穿設されているとともに、その側面には相互に対向する位置関係の下で環状に配置されているとともに留め針導入路側には突出部の設けられた係止球収容孔が穿設されており、その外周面は該係止球保持部の中心軸に対して２１度から３０度の範囲内にある同一のテーパー角度を有しておりガイドの内周面に当接する形状となっており、支柱部は、留め針を貫通させることができる程度の大きさを有する筒状の部材であり、その長さは他側部材の支柱部の長さと同一ないし短いものとし、他側部材は、一側部材の支柱部を収容することができる程度の大きさを有する筒状の支柱部と、外側に鍔状に拡がった抓み片部とを有しており、コイルスプリングは、ハウジング内に収容されるとともに、他側部材の支柱部の外周面に巻き回されており、係止球保持部の段部に当接して可動操作体を留め針挿入口方向に付勢しており、係止球は、係止球収容孔内にそれぞれ一個ずつ収容されていることを特徴とする留め針付き装身具用留め具。
【手続補正２】
【補正対象書類名】明細書
【補正対象項目名】００３２
【補正方法】変更
【補正の内容】
【００３２】
コイルスプリング５は、図１から５までに図示するように、ハウジング２内に収容されているとともに、支柱部４２ａの外周面に巻き回されている。コイルスプリング５は、図１ではその上部が段部４１ｄに当接しており、図２ではその上部が座金７を介して当接しているのに対して、その下部が他側部材２２の底面に当接しているところ、可動操作体４を留め針挿入口２１ａの方向に押圧付勢している。尚、図１に図示するように、係止球保持部４１ａの下部に鍔部４１ａ４を設けることにより、コイルスプリング５が段部４１ｄを乗り越えて外れることを防止することができる。
【手続補正３】
【補正対象書類名】明細書
【補正対象項目名】００３４
【補正方法】変更
【補正の内容】
【００３４】
座金７は、図２に図示するように、段部４１ｄとコイルスプリング５の上部との間に挟み込まれており、コイルスプリング５が段部４１ｄを乗り越えて外れることを防止することができる。とりわけ係止球保持部４１ａの下部に鍔部４１ａ４を設けない場合に、有効である。